(57)【特許請求の範囲】
【請求項１】
液体、流動体、粉体、粒状体等の物品を密封した包装袋と、該包装袋と略同一寸法の保護部材とを、一体化して冊子体に添付する場合に使用するための保護部材において、前記保護部材は、略ロ字状部材と、該ロ字状部材の対向する２辺にそれぞれの縦辺が線状の連接部を介して連接された２個の略コ字状部材とからなり、前記２個の略コ字状部材を前記略ロ字状部材との間の前記線状の連接部を折れ線として前記略ロ字状部材の上に折り返した時に、該２個の略コ字状部材の天地両側の横辺同士が、それぞれの前記線状の連接部とは反対側の端部同士で接触することなく、当該端部同士の間に隙間が形成される様に形成されており、該保護部材は冊子体を開いた状態での表の頁とその裏の頁とのどちらの側に添付されていても頁が両方向になだらかな山型になるように前後又は左右の２方向に曲がることを特徴とする保護部材。
【請求項２】
前記略ロ字状部材の表面には、前記２個の略コ字状部材の天地両側の横辺同士の前記線状の連接部とは反対側の端部同士の間の隙間に対応する箇所に、切欠きが形成されていることを特徴とする請求項１記載の保護部材。
【請求項３】
請求項１又は請求項２記載の保護部材と包装袋を一体化したことを特徴とする包装部材。
【請求項４】
前記保護部材と前記包装袋を袋体に入れて一体化したことを特徴とする請求項３記載の包装部材。
【請求項５】
請求項３又は請求項４記載の包装部材を添付したことを特徴とする冊子体。
【発明の詳細な説明】
【０００１】
【発明の属する技術分野】
本発明は、冊子体（例えば本、書籍、雑誌、パンフレット、カタログ、小冊子等があるが、これに限定しない）に包装部材を添付する技術に関する。
【０００２】
【従来の技術】
平成６年に日本雑誌協会が、雑誌に現物見本を添付する場合の自主基準を緩和して、化粧品、シャンプー類、石鹸、洗剤等が添付可能となり、それらの関連出願が出願されている。
特開平９−１０４４６５号には「保護材及びそれを使用した包装体」が開示されている。課題は液体、粉体、粒状体などの試供品を収納した包装袋からなる商品サンプルを雑誌等に貼り込むに際して、破袋を引き起こす積載圧を有効に軽減できる保護材及びそれを使用した包装体を提供することである。
構成は、包装袋の周辺部に略合致する外枠部分と、該外枠部分の対向部位を繋ぐ少なくとも１本の連結部分とを備えたことを特徴とする保護材であり、この保護材に前記包装袋を沿わせてフィルム袋に収納してなる包装体である。
【０００３】
また、段落番号（００２１）には「…外枠部分２１ａの短辺と連結部分２１ｂには、雑誌Ｍの天地方向に対応する方向に３本の切込み線βが形成されている。このように保護材２０に切込み線βを形成して置くことにより、読者が雑誌Ｍの携帯時等において２つに折り曲げた時に保護材２０も一緒に曲がるので都合がよい。」との記載がある。
しかし、従来技術の上記の特開平９−１０４４６５号の包装体では、保護材２０の一面にしか切込み線βが入っていないため一方向にしか曲がらない。そのため「携帯時において２つに折り曲げた時」は問題ないが、「読者が雑誌を手にとって読む時」に問題がある。
【０００４】
手にとって雑誌を読む際は、頁は雑誌の背部を中心に左右になだらかな山型になる。保護材（＝保護部材）が一方向にしか曲がらない場合、保護材が曲がることで頁がなだらかに山型になり読みやすい頁と、保護材が曲がらないことで頁も突っ張ってなだらかに曲がらない読みにくい頁が生じる。
特に、液体、流動体、粉体、粒状体等の物品の容量が大きくなると問題が顕著になる。物品が化粧品の場合、サンプルとしての容量は１〜３ｃｃ程度の少量の場合があるため包装体の面積がが小さく、一方向にしか曲がらず読みにくいという問題は存在するがそれほど顕著ではないことがある。
しかし、物品がシャンプー、リンス等の場合は１回の使用量が１０〜１５ｃｃと必ず大容量となり包装体の面積が大きくなるため、読みにくいという問題は顕著となる。そのため、従来技術ではシャンプー、リンス等大容量のサンプルを雑誌に添付することは不可能であった。
【０００５】
【発明が解決しようとする課題】
本発明は、上記問題点を解決すべく、冊子体に包装部材（＝包装体）を添付する場合に、読みにくい頁が生じない、保護部材、包装部材及び冊子体を提供することを課題とする。
【０００６】
請求項１に記載の発明は、液体、流動体、粉体、粒状体等の物品を密封した包装袋と、該包装袋と略同一寸法の保護部材とを、一体化して冊子体に添付する場合に使用するための保護部材において、前記保護部材は、略ロ字状部材と、該ロ字状部材の対向する２辺にそれぞれの縦辺が線状の連接部を介して連接された２個の略コ字状部材とからなり、前記２個の略コ字状部材を前記略ロ字状部材との間の前記線状の連接部を折れ線として前記略ロ字状部材の上に折り返した時に、該２個の略コ字状部材の天地両側の横辺同士が、それぞれの前記線状の連接部とは反対側の端部同士で接触することなく、当該端部同士の間に隙間が形成される様に形成されており、該保護部材は冊子体を開いた状態での表の頁とその裏の頁とのどちらの側に添付されていても頁が両方向になだらかな山型になるように前後又は左右の２方向に曲がることを特徴とする保護部材であり、請求項２に記載の発明は、前記略ロ字状部材の表面には、前記２個の略コ字状部材の天地両側の横辺同士の前記線状の連接部とは反対側の端部同士の間の隙間に対応する箇所に、切欠きが形成されていることを特徴とする請求項１記載の保護部材である。このように保護部材が前後又は左右の２方向に曲がるため、手にとって雑誌等の冊子体を読む際、該保護部材が該冊子体を開いた状態での表の頁とその裏の頁とのどちらの側に添付されていても、頁が両方向になだらかに山型になり、保護部材のため突っ張ってなだらかな山型にならない頁が生じない。また、シャンプー、リンス等の大容量サンプル（特に女性や髪の毛長い人を想定して）を添付する位置（冊子体での頁位置、頁内での添付位置）も制限不要（デザイン等に合わせた自由位置）となる。
【０００７】
請求項３に記載の発明は、請求項１又は請求項２の保護部材を包装袋と一体化したことを特徴とする包装部材である。上記した保護部材と包装袋を一体化して包装部材としたので、２方向に曲がる包装部材が得られ、上記の作用効果が得られる。
【０００８】
請求項４に記載の発明は、保護部材と包装袋を袋体に入れて一体化したことを特徴とする請求項３記載の包装部材である。保護部材と包装袋を袋体に入れたので、保護部材と包装袋を固定又は接着等する必要がなく、特に、固定又は接着等をする必要がないため、それらの工程を削減しコスト低下を行なうと同時に、曲がり時に保護部材と包装袋の位置がずれることで曲げ応力集中を防ぐことも可能である。また、袋体を透明にすれば中身の包装袋が見える。上記の作用効果は生じている。
【０００９】
請求項５に記載の発明は、請求項３又は請求項４に記載の包装部材を添付したことを特徴とする冊子体である。請求項３又は請求項４に記載の包装部材を添付したので冊子体を読む時、該包装部材が２方向（雑誌等が左右に開く場合は左右方向）になだらかに山型になり、保護部材のため突っ張ってなだらかな山型にならない頁が生じない。よって、どの頁も読みにくいということがない。
【００１０】
【発明の実施の形態】
実施の形態を図面を用いて詳細に説明する。
図１は本発明の包装部材１０の部品を分解して示した説明図である。１は包装袋、２は保護部材である。包装袋１は世間一般に液体、流動物、粉体、粒状体等の物品の包装に使用される耐水性、耐薬品性、ガスバリア性等が考慮されたフレキシブルパッケージが用いられる。保護部材２は紙、合紙、ダンボール、合成紙、合成樹脂等が使用可能である。保護部材２は切込み３を左右の短辺の両面（保護部材２の上下面）に有している。そのために切込みを中心として保護部材２は上下２方向に曲がる。
図２は本発明の包装部材１０の断面説明図である。包装袋１と保護部材２は略同一寸法であり、それらを一体化すると包装袋１の内容物（＝物品）４の部分が保護部材２の内側中空部２３に納まり、包装袋１の周囲のシール部分２１が保護部材２の枠２２上に来る。そのために、包装部材１０を冊子体に添付したときに、その流通過程で積み重ねられ荷重で包装袋１が破袋して冊子体が汚れるのを防止できる。また、保護部材２の枠内に突起及び補強連結部等が存在すると、内容物４（特に大容量の場合）の入っている部分の包装袋１が盛り上がり破袋等の原因となる。ただし、内容物の量によっては突起及び補強連結部等を設けてもよい。
【００１１】
図３は保護部材２を側面から見た切込み３の作用効果の説明図である。図３（ａ）は下側に曲げるときの説明図であり、図３（ｂ）は上側に曲げるときの説明図である。この例では切込み３が両面で互い違いになっているので、切込みの深さを同じ位置に設ける場合よりも深くすることができ、曲がり量を大きくできる。
図４は保護部材２を側面から見た切込み３の作用効果の説明図である。保護部材２の両面に存在する切欠き３が同じ位置にあるので、該切欠き３の深さが互い違いに設ける場合よりも浅くなり、曲がる角度が小さくなる。図４では下方へ曲げた場合を示しているが、上方へまげる場合も同様である。
【００１２】
図５は保護部材２を側面から見た切込み３の作用効果の説明図である。保護部材２の表裏に切込み３を複数互い違いに設けてある。これは切込み３が一つの場合に比べて、なだらかに曲がり、角度も大きくなる。
図６は保護部材２を側面から見た切込み３の作用効果の説明図である。保護部材２の表裏に切込み３を複数同じ位置に設けてある。これは切込み３が一つの場合よりは大きく曲がるが、互い違いに複数設けたものよりは、切込み深さが浅いため曲がりは小さい。
【００１３】
図７は主保護部６と基材部７を一体にして作った保護部材２を側面から見た説明図である。また、前記した切込み３の代わりに切欠き５を設けてある。７図（ａ）は上方に曲げた場合の説明図であり、図７（ｂ）は下方に曲げた場合の説明図である。図で判るように、切欠き５を設けたので底面にあたる連接部分２４の厚さが薄くなり、上記の切込み３に比べて曲がり易く、曲がり角度も大きくなる。
切欠き５の最小幅αは切欠きの深さβの０．２〜５．０倍の範囲内であることが好ましく、さらに好ましくは０．５〜３．０倍の間、なお更に好ましくは１．０〜２．０倍の間である。材質と曲がり量により調整することができる。
【００１４】
図８は包装袋１が２袋に分かれている場合の包装部材１０の部品を分解して示した説明図である。包装袋１は周囲及び中央のシール部分２１を有し、該シール部分２１に保護部材２の枠２２が重なる。内容物４の入っている部分は保護部材２の内側中空部２３に納まるようになっている。前記２袋はミシン目８が設けられ容易に切り離すことができる。包装袋１と保護部材２は接着剤、テーピング、包装材等で一体化する。袋体（透明袋、包装材で包む等を含む）に入れる場合は接着等の手段を使わずに、ただ重ねてあればよい。接着、テーピングの場合、全体を一体化しても良いが、それを曲げた場合、曲げ応力が包装袋１に集中する。そのため、冊子体の曲げ方向に合わせて、応力が集中しない部分のみを接着する方が良い。
保護部材２の略中央にある切欠き５により、包装部材１０が雑誌等の冊子体に添付されたとき、冊子体の左右２方向に曲がる。その場合、包装部材１０の切欠き５を冊子体の天地方向に平行に合わせる。
【００１５】
図９は保護部材２の別の実施の形態である。保護部材２に切欠き５を３ヶ所（数で５個）入れたので、より曲がり易くなる。
図１０は包装部材１０の保護部材２に施した切欠き５の方向が図８と９０度異なる方向になっているものである。これは冊子体の天地方向に切欠き５の方向を平行に合わせるので包装袋１も図８と９０度回転した形となる。
【００１６】
図１１は主保護部６と基材部７とからなる保護部材２の部分側面図である。切欠き５と基材部７の反主保護部側に切込み３を設けたので、切込み３がない切欠き５だけのものより曲がり易い。
図１２は切欠き５を有する保護部材２の分解説明図である。コの字型の部材を向かい合うように配置し、切欠き５をの間隔をあけて、ロの字型の基材部７と貼り合わせる。
図１３は切欠き５を有する保護部材２の別の分解説明図である。図１２のものと基材部７が４角の薄板状に変わったものである。この保護部材２に包装袋１をセットして冊子体に貼るとき貼着部が平らなので貼着し易いというメリットがある。
【００１７】
図１４はミシン目８でつながった２袋の包装袋１を、切欠き３が三本ある保護部材２と重ね袋体である透明袋９に入れる例の説明図である。包装袋１に印刷等が施されていれば、透明袋９に入れれば中が見えるので好都合である。中が見えなくてもよい場合は不透明な袋に印刷等を施してもよい。また、袋に入れる場合は包装袋１と保護部材２の貼着等はしなくてもよい。
【００１８】
図１５〜図１８は別の保護部材２及び包装部材の作り方を示す説明図である。基材部７に相当する０．３ｍｍのコートボール紙（ロ）と主保護部に相当する厚さ２ｍｍのチップボール紙（イ）を図の形に打ち抜き、貼着して保護部材２とする。図１６は前記保護部材２の表面（ハ）と裏面（ニ）を示す説明図である。  表面（ハ）には切欠き５を半抜き加工で設け、裏面（ニ）には折り返すための切込み３を設ける。
図１７は図１６で加工した保護部材２とそれに収納する包装袋１の説明図出ある。図１８は保護部材２に包装袋１を一体化して包装材料１０を形成した説明図である。図１７では包装袋１のシール部分２１を保護部材２の枠２２に合わせる。包装袋１の内容物４の部分は保護部材２の内側中空部２３に納まる。この包装材料１０は包装袋１が保護部材２に挟まれる状態になる。上記は本の一例であり、基材部７や主保護部６の厚さ等は包装袋１に合わせて適宜選択すればよい。
また、図１８のように一体化した包装部材１０をそのまま冊子体等に添付してもよいし、さらに袋体としての透明袋に収納して添付してもよい。
【００１９】
図１９は冊子体として中綴じ本１１に包装部材１０を貼着し、中綴じ本を読もうとして開いたときに保護部材が曲がり、なだらかな山型になった状態を示す説明図である。
図２０は冊子体として無線綴じ本１２に包装部材１０を貼着し、無線綴じ本を読もうとして開いたときに保護部材が曲がり、なだらかな山型になった状態を示す説明図である。
上記例では包装部材１０を貼着したが、投げ込み、綴じ込みであっても添付の範ちゅうに入るものである。
冊子体の場合、包装部材１０の保護部材２に設けられる切込み、切欠きの方向は天地線２５（綴じ部２７と平行）に略平行とすることが重要である。また、上下に開く冊子体の場合は、切込み、切欠きは綴じ部に対して平行になる。
【００２０】
また、冊子体に包装部材を貼着するときは、天地の中央線２６より上か下に貼着することが好ましい。これは、冊子体を積み上げる際、背と小口を何冊かおきに互い違いに積み上げるとき崩れにくい。
【００２１】
【実施例】
以下図面を用いて実施例を説明する。
＜実施例１＞
図１に示した包装袋１として洗剤を詰めたものを用いた。寸法は６０ｍｍ×１１５ｍｍで周囲に６ｍｍのシール部があるものを用いた。内容物のある部分の厚さは０．９ｍｍであった。保護部材２として厚さ１．２ｍｍのボール紙を打ち抜くと共に、切込み３を互い違いに両面に０．５ｍｍの深さで設けた。この保護部材２と前記包装体１を図２のように周囲を貼着して一体として、図１９の中綴じ本１１に天地方向に切込み３が平行（縦位置）になるように貼着した。
本を手に取って読んでも、違和感なく良好であった。
【００２２】
＜実施例２＞
図１４に示した包装袋１としてシャンプーとリンスの２袋にしたものを用いた。寸法は１２０ｍｍ×１１５ｍｍでそれぞれ周囲に６ｍｍの融着部があるものを用いた。内容物の部分の厚さは１ｍｍであった。保護部材２として厚さ１．２ｍｍの主保護部と厚さ０．２ｍｍの基材部を貼着して切欠き三本の保護部材とした。該保護部材と前記包装袋を重ねて、セロファンの透明袋９に入れ密封し図２０のように無線綴じ本１２に貼着した。天地方向に切欠きが平行になるように貼着した。本を手に取って読んでも、違和感なく良好であった。
【００２３】
請求項１又は請求項２に記載の発明は、保護部材が前後又は左右の２方向に曲がるため、手にとって雑誌等の冊子体を読む際、該保護部材が該冊子体を開いた状態での表の頁とその裏の頁とのどちらの側に添付されていても、頁が両方向になだらかに山型になり、保護部材のため突っ張ってなだらかな山型にならない頁が生じない。また、シャンプー、リンス等の大容量サンプル（特に女性や髪の毛長い人を想定して）を添付する位置（冊子体での頁位置、頁内での添付位置）も制限不要（デザイン等に合わせた自由位置）となる。
【００２４】
請求項３に記載の発明は、上記した保護部材と包装袋を一体化して包装部材としたので、２方向に曲がる包装部材が得られ、上記の作用効果が得られる。
【００２５】
請求項４に記載の発明は、保護部材と包装袋を袋体に入れたので、保護部材と包装袋を固定又は接着等する必要がなく、特に、固定又は接着等をする必要がないため、それらの工程を削減しコスト低下を行なうと同時に、曲がり時に保護部材と包装袋の位置がずれることで曲げ応力集中を防ぐことも可能である。また、袋体を透明にすれば中身の包装袋が見える。上記の作用効果は生じている。
【００２６】
請求項５に記載の発明は、請求項３又は請求項４に記載の包装部材を添付したので冊子体を読む時、該包装部材が２方向（雑誌等が左右に開く場合は左右方向）になだらかに山型になり、保護部材のため突っ張ってなだらかな山型にならない頁が生じない。よって、どの頁も読みにくいということがない。
【図面の簡単な説明】
【図１】本発明の包装部材の部品を分解して示した説明図である。
【図２】図１の包装部材をセットして中央を長手方向に垂直に切った状態を示す断面説明図である。
【図３】本発明の保護部材を側面から見た説明図である。（ａ）は下方に曲げた状態を示す説明図、（ｂ）は上方に曲げた状態を示す説明図である。
【図４】本発明の保護部材を側面から見た説明図である。
【図５】本発明の保護部材を側面から見た説明図である。
【図６】本発明の保護部材を側面から見た説明図である。
【図７】本発明の保護部材を側面から見た説明図である。
【図８】本発明の包装部材の部品を分解して示した説明図である。
【図９】本発明の保護部材の説明図である。
【図１０】本発明の包装部材の部品を分解して示した説明図である。
【図１１】本発明の保護部材の側面部分拡大説明図である。
【図１２】本発明の保護部材の部品を分解して示した説明図である。
【図１３】本発明の保護部材の部品を分解して示した説明図である。
【図１４】本発明の包装部材を透明袋に入れる状態の説明図である。
【図１５】本発明の保護部材２の材料（イ）と（ロ）を示す説明図である。
【図１６】本発明の保護部材の表面（ハ）と（ニ）を示す説明図である。
【図１７】本発明の保護部材と包装袋を示す説明図である。
【図１８】本発明の包装部材を示す説明図である。
【図１９】本発明の包装部材を添付した冊子体の説明図である。
【図２０】本発明の包装部材を添付した冊子体の説明図である。
【符号の説明】
１…包装袋  ２…保護部材  ３…切込み  ４…内容物  ５…切欠き  ６…主保護部  ７…基材部  ８…ミシン目  ９…透明袋  １０…包装部材  １１…中綴じ本１２…無線綴じ本  ２１…シール部分  ２２…枠  ２３…内側中空部  ２４…連接部分  ２５…天地線  ２６…天地の中央線  ２７…綴じ部
【図１】
0004263330.tif 000002
【図２】
0004263330.tif 000003
【図３】
0004263330.tif 000004
【図４】
0004263330.tif 000005
【図５】
0004263330.tif 000006
【図６】
0004263330.tif 000007
【図７】
0004263330.tif 000008
【図８】
0004263330.tif 000009
【図９】
0004263330.tif 000010
【図１０】
0004263330.tif 000011
【図１１】
0004263330.tif 000012
【図１２】
0004263330.tif 000013
【図１３】
0004263330.tif 000014
【図１４】
0004263330.tif 000015
【図１５】
0004263330.tif 000016
【図１６】
0004263330.tif 000017
【図１７】
0004263330.tif 000018
【図１８】
0004263330.tif 000019
【図１９】
0004263330.tif 000020
【図２０】
0004263330.tif 000021